(57)【要約】【課題】筆記シート画面の背景色を簡単に変更することが可能な電子黒板装置に関する。【解決手段】本発明は、透明な筆記シートと、この筆記シートに書き込まれた筆記画像を読み取る読取り装置と、前記透明な筆記シートの裏面に対向して設けられたシートパネルと、このシートパネルと前記筆記シートの間に配置変更可能に設けられた複数のカラーシートとを有することを特徴としている。【選択図】図１
2009126176.tif 000002
【特許請求の範囲】
【請求項１】
透明な筆記シートと、この筆記シートに書き込まれた筆記画像を読み取る読取り装置と、前記透明な筆記シートの裏面に対向して設けられたシートパネルと、このシートパネルと前記筆記シートの間に配置変更可能に設けられた複数のカラーシートとを有することを特徴とする電子黒板装置。
【請求項２】
前記カラーシートは、白色と黒色であることを特徴とする請求項１項記載の電子黒板装置。
【請求項３】
前記シートパネル表面に、前記複数のカラーシートを収納するカラーシート収納部を有することを特徴とする請求項１項記載の電子黒板装置。
【請求項４】
前記カラーシートは、移送可能に設けられたことを特徴とする請求項１項記載の電子黒板装置。
【請求項５】
前記カラーシートの色によらず、白地に黒色で印刷するモードを有することを特徴とする請求項１項記載の電子黒板装置。
【発明の詳細な説明】
【技術分野】
【０００１】本発明は、電子黒板装置の筆記面の色を変更することが可能な電子黒板装置に関するものである。
【背景技術】
【０００２】電子黒板装置は、白色の筆記シートに、マーカーで文字や図形を筆記すると共に、この記入した筆記面を光学センサーによって、画像情報として読み取り、読み取った画像情報を縮小して紙に印刷し、或いは記録する機能を有することを特徴としている。【０００３】電子黒板装置は、本来的に利用者が黒色のマーカーによって筆記するものであり、黒板という名称であっても、筆記面は白色であり、白色のマーカーを用いることはできない。
しかしながら、筆記面を黒色や緑色に白色のマーカーで筆記したい場合や、クリーム色の筆記面に筆記したい場合もある。
また、テンプレートとして、白以外の背景色に、格子状の線や、直線、円、議事録の書式、或いはスポーツの競技エリアを示す形状の画像が望まれている。【０００４】
【特許文献１】特開平１１−３２７７８９号
【発明の開示】
【発明が解決しようとする課題】
【０００５】上記特許文献１は、タブレットにペンで筆記すると、その筆記座標を検出して筆記データとして記録する電子黒板システム、いわゆるインタラクティブボードにおいて、背景色を変更する技術が示されている。
これは、液晶ディスプレイ、或いはプラズマディスプレイに、タッチパネル機能を設け、ディスプレイ上に筆記したデータをそのディスプレイの背景色データと共に記録し、ディスプレイに描画するものである。【０００６】しかしながら、このような液晶ディスプレイやプラズマディスプレイを用いたインタラクティブボードは高価であり、また筆記データは、ペンの移動座標を検出し、演算処理にて得るため、処理時間がかかり、通常のマーカーによる筆記のようには筆記画像は画面に描画されない。
【課題を解決するための手段】
【０００７】上記課題を解決するため、本発明は、電子黒板の筆記シートとして透明なシートを用いると共に、この筆記シートの裏に配置される複数の異なる色のカラーシートを設けることを特徴としている。【０００８】また、電子黒板装置において、カラーシート画像記憶装置を有し、カラーシートの画像と筆記シートに筆記した画像とを合成して記憶、或いは印刷することを可能としている。
【発明の効果】
【０００９】本発明によれば、高価な液晶ディスプレイ或いはプラズマディスプレイを用いることなく、通常のマーカーによる筆記を行う電子黒板において、透明な筆記シートと、複数の選択可能なカラーシートとを合成して筆記面の背景色を構成することが可能となる。
更に、読取装置によって読み取った筆記データを、色変換して、白地に黒色の筆記画像として印刷を行うことを可能とするものである。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面において、マーカーによって書き込みを行う透明な筆記シート、３はこの筆記の移送指示や、筆記シートの筆記画像情報の読込みを行う指示、或いは読込んだデータを図示しないプリンタで印刷する指示などを行う操作パネル、４は例えば白色、黒色、緑色の複数のカラーシート、５はこの複数のカラーシート４を収納するシート収納部である。
尚、筆記シート２の背後には、発砲ポリスチレンからなるシートパネルが配置されており、このシートパネルはマーカーによる筆記圧を受けるため硬質で凹凸の無い平面を有している。【００１２】本実施例装置の側面断面図を図２に示す。
シート収納部５は、発砲ポリスチレンからなるシートパネル７の表面にカラーシート収納用の隙間を設けて透明板６を配置することによって構成されている。
尚、８は電子黒板本体のフレームを示しており、このフレーム８の下部にはマーカーやイレイザーを配置するトレイが設けられている。
シート収納部５には、テンプレートとして、例えば、格子状の線の描かれたものや、所定のフォーマットで１．会議議事録のテーマ、２．場所、３．日時、４．参加者などが記載されたものや、地図、設計図、スポーツのグランド配置図などが描かれた数種類のカラーシート４が収納される。【００１３】カラーシート４の表面には、個々に上述のテンプレート画像が描かれており、裏面は発砲ポリスチレンからなるシートパネルと同じ色（白色）に配色されている。
また、このカラーシート４の上部にはタグ部が設けられており、このタグにそのカラーシートの名称、例えば、白色、黒色、緑色、地図などと記載されている。
利用者は、このシート収納部５から、必要とするカラーシート４を選択して、シート収納部５の最前面に配置する。
尚、カラーシート４の裏面にもテンプレート画像を作成しておき、この画像が描かれた裏面を表示するように裏がえして入れ直してもよい。【００１４】このカラーシート４に記載されたテンプレート画像は、図示しない記憶装置にも記録されており、筆記シートの筆記面を読取る際に、この記憶装置から読み出されて、筆記画像と合成されて記録、或いは印刷される。【００１５】カラーシート４の表面は、図示しないマーカーにより筆記が可能であり、また、一般のプリンタによって、印刷が可能である。
従って、この電子黒板利用者は、例えばパーソナルコンピュータを用いて描いたテンプレート画像を、何も描かれていないカラーシートにプリンターによって、印刷して利用することができる。【００１６】本実施例装置では、このように利用者がテンプレート画像を作成する場合は、そのテンプレート画像を、先の記録装置に記録しなければならない。このテンプレート画像の記録は、パソコンを電子黒板装置に接続し、パソコンの操作にて行う。【００１７】カラーシート４を１対のカラーシート移送用ローラ９、及び図示しないローラ駆動用モータを用いて、移送可能に設けた第２の実施例を、図３及び図４に示す。
この場合のカラーシート４は白色シートと、黒色シートの２面によって構成される。
操作パネル３に設けられた、図示しない背景色選択ボタンによって、白色、あるいは黒色のシートが電子黒板装置本体の前面あるいは裏面に移送され、変更される。【００１８】尚、この実施例では、カラーシート４は、１対の移送用ローラー９にエンドレスに配置されているため、２種類の背景色しか選択できない。
複数の背景色を選択するために、例えば、巻取り式のローラを用いるとよい。この場合は、１対の移送用ローラー夫々に、正逆回転駆動モータを接続する。【００１９】操作パネル３によって、コピーを指示するボタンが押されると、図示しないモータが駆動され、筆記シート２は、モータによって、移送される。その移送動作に連動して、読取装置１０は駆動され、筆記シート２は、読取装置で画像が順次、縦長のライン状に取込まれる。
尚、本実施例では、印刷時にカラーシート４を移送する必要はない。【００２０】密着型イメージセンサ方式の読取装置１０によって、ライン毎に読取られた画像データは、内部メモリで、合成されて１枚の画像データに構成される。
印刷には２つのモードがあり、第１のモードでは、筆記面の色を、背景色を含めて、そのままカラー印刷する。
第２のモードでは、全ての筆記を黒色に変換して、白地に黒色の白黒印刷を行う。
これは、筆記面をそのまま印刷すると、紙一面をその背景色で印刷する必要があり、多量にインクを消費してしまうという問題を防止するためである。
通常の電子黒板を用いる会議などでは、その筆記しながらの討論が重要であり、会議後の電子黒板装置の筆記面の印刷は、議事録として保存するために行う補助的なものであるため、必ずしも、筆記した時の状態そのままの保存が望まれる訳ではない。
このため、通常のモードを白黒印刷モードとし、筆記の背景色も含めてそのままの状態で印刷したい場合のみ、カラーモードを選択するようにしてもよい。【００２１】本発明は、上述の実施例に限定されるものではなく、例えば、図５に示すように、筆記シート上の書込み画像を読取る方式は、筆記シート表面をスキャナー１１が移動して読取る方式でもよい。
このスキャナー１１が移動して読取る方式の場合は、先の実施例で説明した、テンプレート画像を記憶しておく記録装置は不要となる。【００２２】また、カラーシートの大きさや形状は、上記実施例の大きさや形状に限定されない。
また、例えば、シート全面を、テンプレートを描画していない均一な色のシート、或いは部分的に異なる色領域を有したシートとしてもよい。
【産業上の利用可能性】
【００２３】本発明は、高価な液晶あるいはプラズマディスプレイを用いることなく、背景色を変更することが可能となり、電子黒板装置の用途が広がる。
【図面の簡単な説明】
【００２４】
【図１】図１は、本発明の第１の実施例の形態に係る主要な構成を示す正面図である。
【図２】図２は、本発明の第１の実施例の形態に係る主要な構成を示す側面断面図図である。
【図３】図３は、本発明の第２の実施例の形態に係る主要な構成を示す正面図である。
【図４】図４は、本発明の第２の実施例の形態に係る主要な構成を示す上面図である。
【図５】図５は、本発明の第３の実施例の形態に係る主要な構成を示す正面図である。
【符号の説明】
【００２５】２：筆記シート
３：操作パネル
４：カラーシート
５：カラーシート収納部
７：シートパネル
【図１】
2009126176.tif 000003
【図２】
2009126176.tif 000004
【図３】
2009126176.tif 000005
【図４】
2009126176.tif 000006
【図５】
2009126176.tif 000007